(57)【要約】【課題】記録紙の幅方向においてプリンタ装置の幅を狭くすることができ、小型化可能なプリンタ装置を提供する。【解決手段】印字ヘッドとプラテンローラとの間に挟まれた記録紙に、前記印字ヘッドにより印字を行うプリンタ装置において、前記印字のなされた記録紙を切断する固定刃及び可動刃と、カッター駆動部と、前記カッター駆動部の駆動によりスライド動作するスライド機構部と、を有し、前記スライド機構部は、前記固定刃の設けられている側に設けられているものであって、前記スライド機構部により、前記可動刃を前記固定刃の設けられている側に移動させることにより、前記固定刃と前記可動刃により、前記記録紙を切断することを特徴とするプリンタ装置を提供することにより上記課題を解決する。【選択図】  図３
2014128944.tif 000002
【特許請求の範囲】
【請求項１】
印字ヘッドとプラテンローラとの間に挟まれた記録紙に、前記印字ヘッドにより印字を行うプリンタ装置において、
前記印字のなされた記録紙を切断する固定刃及び可動刃と、
カッター駆動部と、
前記カッター駆動部の駆動によりスライドするスライド機構部と、
を有し、
前記スライド機構部は、前記固定刃の設けられている側に設けられているものであって、
前記スライド機構部により、前記可動刃を前記固定刃の設けられている側に移動させることにより、前記固定刃と前記可動刃により、前記記録紙を切断することを特徴とするプリンタ装置。
【請求項２】
前記可動刃の両端には、前記可動刃の移動方向に延びる接続部材が設けられており、
前記印字ヘッドにより印字を行う際には、前記接続部材と前記スライド機構部とが係合し、
前記スライド機構部がスライド移動することにより、前記可動刃も前記スライド機構部とともに移動することを特徴とする請求項１に記載のプリンタ装置。
【請求項３】
前記接続部材の先端部分には、各々凸部が設けられており、
前記スライド機構部には、前記凸部に対応する凹部が設けられており、
前記印字ヘッドにより印字を行う際には、前記凹部に前記凸部が入り込んでいることを特徴とする請求項２に記載のプリンタ装置。
【請求項４】
前記固定刃、前記カッター駆動部、前記スライド機構部が設けられている固定刃ブロック部と、
前記可動刃と、前記プラテンローラが設けられている可動刃ブロック部と、
を有し、前記固定刃ブロック部、前記可動刃ブロック部が接続されることを特徴とする請求項１から３のいずれかに記載のプリンタ装置。
【請求項５】
前記印字ヘッドが設けられているメカ本体ブロック部と、
前記固定刃、前記カッター駆動部、前記スライド機構部が設けられている固定刃ブロック部と、
前記可動刃と、前記プラテンローラが設けられている可動刃ブロック部と、
を有し、前記メカ本体ブロック部、前記固定刃ブロック部、前記可動刃ブロック部が接続されることを特徴とする請求項１から３のいずれかに記載のプリンタ装置。
【請求項６】
前記記録紙を収めるケースと、
前記ケースに回転可能な状態で取り付けられている開閉可能なカバーと、
を有し、
前記メカ本体ブロック部及び前記固定刃ブロック部は、前記ケースに取り付けられており、
前記可動刃ブロック部は、前記カバーに取り付けられていることを特徴とする請求項５に記載のプリンタ装置。
【請求項７】
前記カバーが閉じた状態においては、前記メカ本体ブロック部及び前記固定刃ブロック部と前記可動刃ブロック部とが接続されており、
前記カバーが開いている状態においては、前記メカ本体ブロック部及び前記固定刃ブロック部と前記可動刃ブロック部との接続が解除されるものであることを特徴とする請求項５または６に記載のプリンタ装置。
【請求項８】
前記固定刃ブロック部には、前記カッター駆動部の駆動をスライド機構部に伝達するカッターギアボックスが設けられていることを特徴とする請求項４から７のいずれかにに記載のプリンタ装置。
【請求項９】
前記スライド機構部にはスライド位置検出突起部が設けられており、
前記スライド位置検出突起部の位置を検出する位置検出センサが設けられていることを特徴とする請求項１から８のいずれかに記載のプリンタ装置。
【請求項１０】
前記スライド機構部がホームポジションの位置にない場合には、ロック解除信号を検知して、前記スライド機構部をホームポジションの位置に動かすことを特徴とする請求項１から９のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated  Teller  Machine）やＣＤ（Cash  dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
一般的に、プリンタ装置において、カッターは可動刃と固定刃とを有しており、可動刃を駆動するモータ等により固定刃に近づけるように可動刃を移動させ、固定刃と可動刃とにより記録紙を切断する。可動刃を直線的に移動させるためには、モータ等の駆動を可動刃に伝えるためのギアボックスが必要となり、このようなギアボックスは、一般的には、プリンタの側面部分のどちらか一方に設けられている。
【先行技術文献】
【特許文献】
【０００４】
【特許文献１】特開２００３−１９８４５号公報
【特許文献２】特開２００７−１３０８４２号公報
【特許文献３】特開平１０−５２９５６号公報
【発明の概要】
【発明が解決しようとする課題】
【０００５】
ところで、可動刃を駆動するためのギアボックスをプリンタ装置の側面部分に設けた場合、記録紙が排紙される部分におけるプリンタ装置の幅が広くなってしまう。このため、記録紙の幅方向においてプリンタ装置の幅を狭くすることができ、小型化可能なプリンタ装置が求められている。
【課題を解決するための手段】
【０００６】
本実施の形態の一観点によれば、印字ヘッドとプラテンローラとの間に挟まれた記録紙に、前記印字ヘッドにより印字を行うプリンタ装置において、前記印字のなされた記録紙を切断する固定刃及び可動刃と、カッター駆動部と、前記カッター駆動部の駆動によりスライド動作するスライド機構部と、を有し、前記スライド機構部は、前記固定刃の設けられている側に設けられているものであって、前記スライド機構部により、前記可動刃を前記固定刃の設けられている側に移動させることにより、前記固定刃と前記可動刃により、前記記録紙を切断することを特徴とする。
【発明の効果】
【０００７】
本発明によれば、記録紙の幅方向においてプリンタの幅を狭くすることができ、小型化可能なプリンタ装置を提供することができる。
【図面の簡単な説明】
【０００８】
【図１】第１の実施の形態におけるプリンタ装置の斜視図（１）
【図２】第１の実施の形態におけるプリンタ装置の斜視図（２）
【図３】第１の実施の形態におけるプリンタ装置を分解した斜視図（１）
【図４】第１の実施の形態におけるプリンタ装置を分解した斜視図（２）
【図５】第１の実施の形態におけるプリンタ装置のメカ本体ブロック部の斜視図
【図６】第１の実施の形態におけるプリンタ装置の固定刃ブロック部の斜視図
【図７】第１の実施の形態におけるプリンタ装置の可動刃ブロック部の斜視図
【図８】第１の実施の形態におけるプリンタ装置の説明図
【図９】第１の実施の形態におけるプリンタ装置の断面図（１）
【図１０】第１の実施の形態におけるプリンタ装置の断面図（２）
【図１１】カッターモータ及びカッターギアボックスの斜視図
【図１２】カッターギアボックスの説明図
【図１３】第１の実施の形態におけるプリンタ装置のホームポジションの説明図（１）
【図１４】第１の実施の形態におけるプリンタ装置のホームポジションの説明図（２）
【図１５】第１の実施の形態におけるプリンタ装置のホームポジションの説明図（３）
【図１６】第１の実施の形態におけるプリンタ装置のホームポジションの説明図（４）
【図１７】図１４の要部拡大図
【図１８】第１の実施の形態におけるプリンタ装置のレバーの説明図（１）
【図１９】第１の実施の形態におけるプリンタ装置のレバーの説明図（２）
【図２０】第１の実施の形態におけるプリンタ装置のレバーキャップの説明図（１）
【図２１】第１の実施の形態におけるプリンタ装置のレバーキャップの説明図（２）
【図２２】ケース及びカバーに取り付けられた第１の実施の形態におけるプリンタ装置の説明図（１）
【図２３】ケース及びカバーに取り付けられた第１の実施の形態におけるプリンタ装置の説明図（２）
【図２４】ケース及びカバーに取り付けられた第１の実施の形態におけるプリンタ装置の説明図（３）
【図２５】ケース及びカバーに取り付けられた第１の実施の形態におけるプリンタ装置の説明図（４）
【図２６】第２の実施の形態における記録紙の切断方法のフローチャート
【発明を実施するための形態】
【０００９】
本発明を実施するための形態について、以下に説明する。尚、同じ部材等については、同一の符号を付して説明を省略する。
【００１０】
〔第１の実施の形態〕
（プリンタ装置）
第１の実施の形態におけるプリンタ装置について説明する。図１から図７に示されるように、本実施の形態におけるプリンタ装置は、メカ本体ブロック部１０、固定刃ブロック部３０、可動刃ブロック部５０により形成されている。メカ本体ブロック部１０と固定刃ブロック部３０とは着脱可能な状態で接続されており、メカ本体ブロック部１０及び固定刃ブロック部３０と可動刃ブロック部５０とは着脱可能な状態で接続されている。尚、図１は、本実施の形態におけるプリンタ装置の前面方向からの斜視図であり、図２は、背面方向からの斜視図である。図３は、本実施の形態におけるプリンタ装置をブロック部ごとに分解した状態を示す前面方向からの斜視図であり、図４は、ブロック部ごとに分解した状態を示す背面方向からの斜視図である。また、図５は、メカ本体ブロック部１０の斜視図であり、図６は、固定刃ブロック部３０の斜視図であり、図７は、可動刃ブロック部５０の斜視図である。
【００１１】
メカ本体ブロック部１０には、記録紙に印字等を行うための印字ヘッドであるサーマルヘッド１１、記録紙を搬送するための搬送モータ１２、搬送モータ１２の駆動を伝達するための搬送ギアボックス１３、記録紙が所定の方向に移動するようにガイドする記録紙ガイド１４、メカ本体ブロック部１０と可動刃ブロック部５０との接続を解除するためのレバー１５が設けられている。
【００１２】
また、固定刃ブロック部３０には、固定刃３１、カッターモータ３２、カッターギアボックス３３、固定刃ブロック部カバー３４、スライド機構部４０が設けられている。カッターモータ３２には、カッターギアボックス３３が接続されており、カッターギアボックス３３にはスライド機構部４０が接続されている。これにより、カッターモータ３２が回転駆動することにより、カッターギアボックス３３を介し、スライド機構部４０を直線方向に移動させることができる。具体的には、カッターモータ３２を一方の方向に回転させるとスライド機構部４０はスライドして後退し、一方の方向とは反対の他方の方向に回転させるとスライド機構部４０はスライドして前進させることができる。スライド機構部４０は、記録紙の幅よりも広く形成されており、両端には凹部４１が設けられている。尚、スライド機構部４０には、スライド機構部４０をスライドさせて移動させるための溝が設けられていてもよく、この場合、スライド機構部４０は、溝に沿ってスライドする。また、本実施の形態においては、カッターモータ３２には、ステッピングモータが用いられており、カッターモータ３２は、カッター駆動部と記載する場合がある。
【００１３】
また、可動刃ブロック部５０には、プラテンローラ５１、可動刃５２が設けられている。可動刃５２の両端には、可動刃５２の進行方向に延びる接続部材５３が各々設けられており、接続部材５３の先端部分には、固定刃ブロック部３０のスライド機構部４０の凹部４１に嵌合または、凹部４１に入ることが可能な凸部５４が設けられている。即ち、凹部４１に対応する凸部５４が各々設けられている。尚、接続部材５３に設けられた凸部５４、スライド機構部４０に設けられた凹部４１は、一例であって、接続部材５３に凹部を設け、スライド機構部４０に凸部を設けてもよく、更には、スライド機構部４０と接続部材５３とが係合する構造のものであればよい。
【００１４】
本実施の形態におけるプリンタ装置においては、可動刃５２を駆動するためのスライド機構部４０は固定刃３１の上側に設けられており、カッターギアボックス３３は、固定刃３１の下側の略中央部分に設けられている。よって、可動刃を駆動するためのギアボックスが側面部分に設けられている構造のプリンタ装置と比べて、記録紙の幅方向において狭くすることができ、プリンタ装置を小型にすることができる。
【００１５】
また、可動刃５２はスライド機構部４０により引っ張られることにより移動するものであるため、可動刃５２の移動方向が安定しており、固定刃３１と可動刃５２とにより、記録紙を確実に切断することができる。
【００１６】
次に、図８から図１０に基づき、固定刃ブロック部３０のスライド機構部４０の凹部４１と、可動刃ブロック部５０における凸部５４とについて説明する。尚、図９は、図８における一点鎖線８Ａ−８Ｂにおいて切断された断面図であり、図１０は、図８における８Ｃ−８Ｄにおいて切断された断面図である。図８から図１０に示されるように、メカ本体ブロック部１０に、固定刃ブロック部３０及び可動刃ブロック部５０が接続されている状態では、固定刃ブロック部３０のスライド機構部４０の凹部４１に、可動刃ブロック部５０における凸部５４が入り込んでいる。このように、スライド機構部４０の凹部４１に、可動刃ブロック部５０の凸部５４が入り込んでいる状態で、スライド機構部４０がスライドすることにより、可動刃ブロック部５０における可動刃５２を動かすことができ、これにより、可動刃５２と固定刃３１とにより記録紙を切断することができる。
【００１７】
（カッターギアボックス）
次に、図１１及び図１２に基づき、固定刃ブロック部３０におけるカッターモータ３２とカッターギアボックス３３について説明する。図１１は、カッターモータ３２及びカッターギアボックス３３の拡大図であり、図１２は、カッターギアボックス３３の内部を示すものであり、図２と略同じ方向から見た斜視図である。カッターギアボックス３３には、ギア３３ａ、３３ｂ、３３ｃ、３３ｄ、３３ｅが設けられており、カッターモータ３２の回転は、ギア３３ａ、ギア３３ｂ、ギア３３ｃ、ギア３３ｄ、ギア３３ｅを介し、スライド機構部４０に伝達され、スライド機構部４０がスライド移動する。
【００１８】
（可動刃のホームポジションの検出方法）
次に、図１３から図１７に基づき、可動刃５２のホームポジションの検出方法について説明する。図１３は、可動刃５２が初期位置であるホームポジション位置にある状態の外観の斜視図であり、図１４は、この状態においてカバーの一部を取り除いた斜視図である。図１５は、可動刃５２が移動し記録紙を切断する位置にある状態の外観の斜視図であり、図１６は、この状態においてカバーの一部を取り除いた斜視図である。図１７は、図１４の要部拡大図である。
【００１９】
図１３から図１７に示されるように、スライド機構部４０の側面端部には、スライド位置検出突起部４５が設けられており、更に、このスライド位置検出突起部４５の有無を検出するための位置検出センサ４６が設けられている。位置検出センサ４６は、光学式センサであり、発光部と受光部とを有しており、発光部から出射された光が受光部に入射するか否かにより、スライド位置検出突起部４５の位置検出を行う。
【００２０】
具体的には、本実施の形態においては、位置検出センサ４６における発光部から出射された光が、スライド位置検出突起部４５によって遮断されることなく、受光部に入射した場合には、位置検出センサ４６によりスライド位置検出突起部４５が検出されないため、可動刃５２はホームポジションの位置にあるものとされる。また、位置検出センサ４６における発光部から出射された光が、スライド位置検出突起部４５によって遮断され、受光部に入射しない場合には、位置検出センサ４６によりスライド位置検出突起部４５が検出され、可動刃５２はホームポジションの位置ではなく、記録紙を切断する位置にあるものとされる。
【００２１】
（レバー）
次に、図１８から図２１に基づき、カバー７１を開閉するためのレバー１５、即ち、メカ本体ブロック部１０及び固定刃ブロック部３０と、可動刃ブロック部５０との接続を外すためのレバー１５について説明する。上記において説明したプリンタ装置においては、図１８及び図１９に示されるように、メカ本体ブロック部１０及び固定刃ブロック部３０と、可動刃ブロック部５０との接続を外すためのレバー１５が設けられているが、図２０及び図２１に示されるように、レバー１５に接続されるレバーキャップ１６が設けられており、レバーキャップ１６を押すことにより、メカ本体ブロック部１０及び固定刃ブロック部３０と、可動刃ブロック部５０との接続が外れるものであってもよい。尚、図１８は前面からの斜視図であり、図１９は背面からの斜視図である。また、図２０は前面からの斜視図であり、図２１は背面からの斜視図である。
【００２２】
（ケース及びカバー）
次に、図２２から図２５に基づき、記録紙を収めるケース７０及びカバー７１に、プリンタ装置が取り付けられているものについて説明する。尚、図２２から図２５においては、レバー１５にレバーキャップ１６が設けられている構造のものを示している。図２２は、カバー７１が閉じている状態の外観の斜視図であり、図２３は、この状態においてカバー７１を透過した斜視図である。図２４は、カバー７１が開いている状態の外観の斜視図であり、図２５は、この状態においてカバー７１を透過した斜視図である。
【００２３】
図２２から図２５に示されるように、ロール状に巻かれた記録紙８０はケース７０の内部に収められており、ケース７０には、回転軸部７２を中心に回転可能な状態、即ち、回転軸部７２を中心に回転させることにより開閉可能な状態でカバー７１が取り付けられており、これにより、カバー７１は開閉させることができる。また、回転軸部７２の近傍には、カバー７１が開く方向に力が働くバネ７３が設けられている。ケース７０には、メカ本体ブロック部１０及び固定刃ブロック部３０が取り付けられており、カバー７１には、可動刃ブロック部５０が取り付けられている。
【００２４】
図２２及び図２３に示されるように、カバー７１が閉じた状態では、メカ本体ブロック部１０及び固定刃ブロック部３０に、可動刃ブロック部５０が接続され、記録紙８０への印字が可能な状態となる。
【００２５】
また、メカ本体ブロック部１０におけるレバーキャップ１６を介しレバー１５を押すことにより、メカ本体ブロック部１０及び固定刃ブロック部３０と、可動刃ブロック部５０との接続が外れ、バネ７３の復元力により、カバー７１が回転軸部７２を中心に回転し開く。これにより、プラテンローラ５１もカバー７１に取り付けられた可動刃ブロック部５０とともにサーマルヘッド１１から離れる方向に移動する。このように、カバー７１が開くことにより、記録紙８０の交換等が可能となる。
【００２６】
本実施の形態においては、プリンタ装置において、可動刃ブロック部５０が設けられている側に、回転軸部７２が設けられている場合について説明したが、固定刃ブロック部３０が設けられている側に、回転軸部を設けた構造のものであってもよい。
【００２７】
〔第２の実施の形態〕
次に、第２の実施の形態について説明する。本実施の形態は、第１の実施の形態におけるプリンタ装置において記録紙を切断する方法に関するものであり、記録紙を切断する方法について図２６に基づき説明する。
【００２８】
最初に、ステップ１０２（Ｓ１０２）に示されるように、可動刃５２の位置がホームポジションの位置であるか否かが判断される。具体的には、プリンタ装置に電源を投入した後、可動刃５２のイニシャライズ動作等が行われた後、位置検出センサ４６により、スライド機構部４０の側面端部に設けられたスライド位置検出突起部４５が検出されるか否かにより判断される。位置検出センサ４６により、スライド機構部４０の側面端部に設けられたスライド位置検出突起部４５が検出されない場合には、可動刃５２の位置がホームポジションの位置であるものと判断され、ステップ１０４に移行する。位置検出センサ４６により、スライド機構部４０の側面端部に設けられたスライド位置検出突起部４５が検出された場合には、可動刃５２の位置がホームポジションの位置ではないものと判断され、ステップ１０２に移行する。この際、必要に応じて再度、可動刃５２のイニシャライズ動作等を行ってもよい。
【００２９】
次に、ステップ１０４（Ｓ１０４）に示されるように、可動刃５２のフォーワード動作を行う。具体的には、カッターモータ３２を一方の方向に回転させることにより、カッターギアボックス３３を介して、スライド機構部４０が可動刃ブロック部５０から離れる方向に動かす。スライド機構部４０では、凹部４１に可動刃ブロック部５０の凸部５４が入り込んでいるため、スライド機構部４０が可動刃ブロック部５０から離れる方向に動くことにより、接続部材５３を介して可動刃５２が固定刃３１の設けられている側に引っ張られて動き、可動刃５２は前方に移動（フォーワード動作）し、固定刃３１と可動刃５２により記録紙が切断される。
【００３０】
次に、ステップ１０６（Ｓ１０６）に示されるように、カッターモータ３２が、所定のステップ数一方の方向に回転動作したか否かが判断される。具体的には、記録紙が固定刃３１と可動刃５２により切断されるのに必要なステップ数だけカッターモータ３２が回転動作したか否かが判断される。カッターモータ３２が、所定のステップ数一方の方向に回転動作したものと判断された場合には、ステップ１０８に移行する。カッターモータ３２が、所定のステップ数一方の方向に回転動作していないものと判断された場合には、ステップ１０４に移行する。
【００３１】
次に、ステップ１０８（Ｓ１０８）に示されるように、可動刃５２のバックワード動作を行う。具体的には、カッターモータ３２を他方の方向に回転させることにより、カッターギアボックス３３を介して、スライド機構部４０が可動刃ブロック部５０に近づく方向に動かす。スライド機構部４０では、凹部４１に可動刃ブロック部５０の凸部５４が入り込んでいるため、スライド機構部４０が可動刃ブロック部５０に近づく方向に動くことにより、かつ、可動刃ブロック部５０に設けられた不図示の復帰バネにより、接続部材５３を介して可動刃５２が固定刃３１の設けられている側より離れる方向に動き、可動刃５２は後方に移動（バックワード動作）し、可動刃５２はホームポジション位置に戻る。
【００３２】
次に、ステップ１１０（Ｓ１１０）に示されるように、カッターモータ３２が、所定のステップ数一方の方向とは反対の他方の方向に回転動作したか否かが判断される。具体的には、可動刃５２が記録紙を切断した後、ホームポジション位置まで戻るのに必要なステップ数だけカッターモータ３２が回転動作したか否かが判断される。カッターモータ３２が、所定のステップ数他方の方向に回転動作したものと判断された場合には、ステップ１１２に移行する。カッターモータ３２が、所定のステップ数他方の方向に回転動作していないものと判断された場合には、ステップ１０８に移行する。
【００３３】
次に、ステップ１１２（Ｓ１１２）に示されるように、可動刃５２がホームポジション位置にあるか否かが判断される。具体的には、位置検出センサ４６により、スライド機構部４０の側面端部に設けられたスライド位置検出突起部４５が検出されるか否かにより判断される。位置検出センサ４６により、スライド機構部４０の側面端部に設けられたスライド位置検出突起部４５が検出されない場合には、可動刃５２の位置がホームポジションの位置であるものと判断され、記録紙の切断動作は終了する。位置検出センサ４６により、スライド機構部４０の側面端部に設けられたスライド位置検出突起部４５が検出された場合には、可動刃５２の位置がホームポジションの位置ではないものと判断され、ステップ１１４に移行する。
【００３４】
尚、ステップ１１４では、切断動作において、エラーが発生したものとされるため、不図示の表示部においてエラーである旨の表示等がなされる。この状態でロックレバーを押下すると、凸部５４が凹部４１から外れ、可動刃５２は不図示のバネによりホームポジションの位置に復帰し、ロック検出スイッチを介して、ロックが外れたことを検出し、カッターモータ３２を駆動して、スライド機構部４０をホームポジションの位置に戻す。
【００３５】
以上、本発明の実施に係る形態について説明したが、上記内容は、発明の内容を限定するものではない。
【符号の説明】
【００３６】
１０        メカ本体ブロック部
１１        サーマルヘッド（印字ヘッド）
１２        搬送モータ
１３        搬送ギアボックス
１４        記録紙ガイド
１５        レバー
１６        レバーキャップ
３０        固定刃ブロック部
３１        固定刃
３２        カッターモータ
３３        カッターギアボックス
３３ａ      ギア
３３ｂ      ギア
３３ｃ      ギア
３３ｄ      ギア
３３ｅ      ギア
３４        固定刃ブロック部カバー
４０        スライド機構部
４１        凹部
４５        スライド位置検出突起部
４６        位置検出センサ
５０        可動刃ブロック部
５１        プラテンローラ
５２        可動刃
５３        接続部材
５４        凸部
７０        ケース
７１        カバー
７２        回転軸部
７３        バネ
８０        記録紙
【図１】
2014128944.tif 000003
【図２】
2014128944.tif 000004
【図３】
2014128944.tif 000005
【図４】
2014128944.tif 000006
【図５】
2014128944.tif 000007
【図６】
2014128944.tif 000008
【図７】
2014128944.tif 000009
【図８】
2014128944.tif 000010
【図９】
2014128944.tif 000011
【図１０】
2014128944.tif 000012
【図１１】
2014128944.tif 000013
【図１２】
2014128944.tif 000014
【図１３】
2014128944.tif 000015
【図１４】
2014128944.tif 000016
【図１５】
2014128944.tif 000017
【図１６】
2014128944.tif 000018
【図１７】
2014128944.tif 000019
【図１８】
2014128944.tif 000020
【図１９】
2014128944.tif 000021
【図２０】
2014128944.tif 000022
【図２１】
2014128944.tif 000023
【図２２】
2014128944.tif 000024
【図２３】
2014128944.tif 000025
【図２４】
2014128944.tif 000026
【図２５】
2014128944.tif 000027
【図２６】
2014128944.tif 000028